(57)【要約】【課題】運転コストを抑えながら、細やかな制御によってより快適な空間を生み出すことが可能な地下駅の空調システムを提供する。【解決手段】外気ＯＡを取り込んで地下駅の駅空間Ｓへ供給するとともに、排気ＥＡを駅空間Ｓから排出する換気装置１０と、外気ＯＡを取り込んで空調した給気ＳＡを駅空間Ｓへ供給する空調装置２０と、駅空間Ｓと空調装置２０との間で還気ＲＡを循環する還気装置３０と、外気ＯＡ及び還気ＲＡの風量を調整する風量調整装置４０と、風量調整装置４０を制御する制御装置５０とを備えることを特徴とする。【選択図】図１
2013210112.tif 000002
【特許請求の範囲】
【請求項１】
外気を取り込んで地下駅内の空間へ供給するとともに、排気を前記空間から排出する換気手段と、
前記外気を取り込んで空調した給気を地下駅内の空間へ供給する空調手段と、
前記空間と前記空調手段との間で還気を循環する還気手段と、
前記外気及び前記還気の風量を調整する風量調整手段と、
前記風量調整手段を制御する制御手段とを備えることを特徴とする地下駅の空調システム。
【請求項２】
前記制御手段は、前記外気の温度及び湿度の値を所定時間毎に入力データとして取得するデータ取得部と、
前記データ取得部で取得した前記入力データの処理を行なって出力データを作成するデータ処理部と、
前記データ処理部からの前記出力データを出力して前記風量調整手段の動きを制御するデータ出力部とを有することを特徴とする請求項１に記載の地下駅の空調システム。
【請求項３】
前記データ処理部は、前記データ取得部で取得した前記入力データを空気線図上にプロットして、前記入力データの前記空気線図上のプロット位置に応じて、前記出力データを変更することを特徴とする請求項２に記載の地下駅の空調システム。
【請求項４】
前記データ処理部は、前記空気線図上のプロット位置が、前記外気の所定の温度及び湿度を基準点として、高温高湿となる第一領域と、低温高湿となる第二領域と、高温低湿となる第三領域と、低温低湿となる第四領域とのうちのいずれの位置となるかによって、前記出力データを変更することを特徴とする請求項３に記載の地下駅の空調システム。
【発明の詳細な説明】
【技術分野】
【０００１】
本発明は、列車の地下駅における空調システムに関するものである。
【背景技術】
【０００２】
現在、列車の地下駅においては、列車からの熱を排気し、また外気から新鮮な空気を取り込んで地下駅へ供給する換気設備及び空調設備が設置されている。そして現状では、これらの設備による給排気の風量は年間を通じて一定に固定されており、このため、例えば地下駅内の空気の設定温湿度に比べて外気が高温高湿である場合には、空調設備の負荷を増大させることで空調の度合いを調整し、快適な空間を提供できるようになっていた。
【０００３】
ここで、このような地下駅は人体や列車からの放熱や地下水の蒸発による潜熱など様々な熱が複雑に混在する空間となっている。さらに今後は地下駅のさらなる大深度化も想定され、このような大深度の地下空間においては、熱の混在に加えて地下空間での熱の滞留が懸念される。このため、地下駅内の乗客に対して確実に快適性を提供するよう、空調システムの性能向上を図り、より細やかな空調の制御を行うことが求められていた。
【０００４】
ところで、特許文献１には地下空間の空調システムが開示されており、地下空間内の所定の地点の風向及び風速を検出して、この検出データに基づき地下空間への空気流入量を演算し、換気装置における換気量の制御を行っている。このようにすることで、列車が地下駅から離れる際に地上部から地下駅空間へ空気が流れ込み、また地下駅へ近づく際に地下駅空間から地上部へ空気が流出する現象を有効に利用し、換気装置の過剰運転を抑制して、より効率的な空調を可能としている。
【先行技術文献】
【特許文献】
【０００５】
【特許文献１】特許第４４５６００７号公報
【発明の概要】
【発明が解決しようとする課題】
【０００６】
しかしながら、特許文献１に開示された空調システムは、換気設備の効率化のため、列車の走行状況に応じて換気設備の運転状態を制御しているものであって、これによりコスト抑制が可能であるものの、地下駅空間において乗客に対して快適空間を提供可能とするように換気設備を制御するものではない。
また、従来のように空調設備の負荷を増大させることで地下駅空間での快適性を提供することも可能であるが、この場合はコストの面で好ましくなく、また細やかな制御も難しかった。
【０００７】
本発明はこのような事情を考慮してなされたもので、運転コストを抑えながら、細やかな制御によってより快適な空間を生み出すことが可能な地下駅の空調システムを提供することを目的とする。
【課題を解決するための手段】
【０００８】
上記課題を解決するため、本発明は以下の手段を採用している。
即ち、本発明に係る地下駅の空調システムは、外気を取り込んで地下駅内の空間へ供給するとともに、排気を前記空間から排出する換気手段と、前記外気を取り込んで空調した給気を地下駅内の空間へ供給する空調手段と、前記空間と前記空調手段との間で還気を循環する還気手段と、前記外気及び前記還気の風量を調整する風量調整手段と、前記風量調整手段を制御する制御手段とを備えることを特徴とする。
【０００９】
このような空調システムによると、制御手段によって制御可能な風量調整手段を設けたことによって、地下駅内の空間へ取り込まれる外気の風量、及び地下駅内の空間から空調手段への還気の風量を調整可能となる。従って、外気が予め設定した目標値より高温高湿である場合には外気の風量を低減し、還気の風量を増大させることによって空調手段と地下駅内の空間との間での空気の循環量を増大させることが可能となる。即ち、空調された空気をさらに空調して地下駅内の空間に供給することができる。また逆に、外気が目標値よりも低温低湿である場合には外気の風量を増大し、還気量を低減させることによって外気による空調効果を積極的に利用できる。
【００１０】
また、前記制御手段は、前記外気の温度及び湿度の値を所定時間毎に入力データとして取得するデータ取得部と、前記データ取得部で取得した前記入力データの処理を行なって出力データを作成するデータ処理部と、前記データ処理部からの前記出力データ出力して前記風量調整手段の動きを制御するデータ出力部とを有していてもよい。
【００１１】
このように、外気の温度、湿度からの入力データを基に出力データを作成し、この出力データに応じて風量調整手段の動きを制御することで、より細やかに、地下駅内の空間の空調を行なうことが可能となり、さらなる快適空間を生み出すことができる。
【００１２】
さらに、前記データ処理部は、前記データ取得部で取得した前記入力データを空気線図上にプロットして、前記入力データの前記空気線図上のプロット位置に応じて、前記出力データを変更してもよい。
【００１３】
空気線図上でのプロット位置によって快適度を規定できるため、この快適度の指標に基づいて出力データを変更することによって、さらに細やかに地下駅内の空間の空調を行なうことが可能となり、さらなる快適空間を生み出すことができる。
【００１４】
また、前記データ処理部は、前記空気線図上のプロット位置が、前記外気の所定の温度及び湿度を基準点として、高温高湿となる第一領域と、低温高湿となる第二領域と、高温低湿となる第三領域と、低温低湿となる第四領域とのうちのいずれの位置となるかによって、前記出力データを変更してもよい。
【００１５】
このように空気線図上でのプロット位置を四つの領域に区分し、それぞれの領域毎で出力データを変更することで風量調整手段を制御するため、確実に地下駅内の空間の空調を行ない、さらなる快適空間を生み出すことができる。
【発明の効果】
【００１６】
本発明の空調システムによれば、外気量、還気量を調整することで空調手段の負荷を増大させずに運転コストを抑え、細やかな制御が可能となり、地下駅内に快適な空間を生み出すことが可能となる。
【図面の簡単な説明】
【００１７】
【図１】本発明の実施形態に係る空調システムの全体概要図である。
【図２】本発明の実施形態に係る空調システムの第一ダンパ、第二ダンパ、第三ダンパを示す概略図であって、（ａ）は羽根部の開状態を、（ｂ）は羽根部の閉状態を示し、（ｃ）は（ａ）のＡ−Ａ断面図である。
【図３】本発明の実施形態に係る空調システムのデータ処理部で用いる空気線図である。
【図４】本発明の実施形態に係る空調システムの処理フローを示す図である。
【発明を実施するための形態】
【００１８】
以下、本発明の実施形態に係る地下駅の空調システム１について説明する。
空調システム１は、地下鉄、鉄道等の列車の地下駅内の空間Ｓ（以下、駅空間Ｓと称する。）において空調を行なう設備である。
図１に示すように、空調システム１は、駅空間Ｓへの外気ＯＡの供給及び当該駅空間Ｓからの排気ＥＡの排出を行なう換気装置（換気手段）１０と、外気ＯＡを空調した給気ＳＡを駅空間Ｓへ供給する空調装置（空調手段）２０と、駅空間Ｓと空調装置２０との間で還気ＲＡを循環する還気装置（還気手段３０）とを備えている。
【００１９】
さらに、空調システム１は、空調装置２０及び駅空間Ｓへ供給される外気ＯＡと、還気ＲＡの風量を調整する風量調整装置（風量調整手段）４０と、風量調整装置４０の動作を制御する制御装置（制御手段）５０とを備えている。
【００２０】
換気装置１０は、地上から外気ＯＡを取り込み、また、地上へ排気ＥＡを排出可能とするファン等より構成された換気装置本体１１に、当該換気装置本体１１と駅空間Ｓとを連通して地上から取り込んだ外気ＯＡが流通する外気供給管１２が接続されて構成されたものいる。さらにこの換気装置本体１１には、換気装置本体１１と駅空間Ｓとを連通して駅空間Ｓからの排気ＥＡが流通する排出管１３が接続されて構成されたものである。
【００２１】
空調装置２０は、地上から外気ＯＡを取り込んで空調を行なった給気ＳＡを駅空間Ｓへ供給可能とする空調装置本体２１に、当該空調装置本体２１と地上とを連通して外気ＯＡが流通する空調用外気供給管２２と、当該空調装置本体２１と駅空間Ｓとを連通して給気ＳＡが流通する給気管２３が接続されて構成されたものである。
【００２２】
そして、空調装置本体２１は冷暖房機能を有するものである。一般に駅における空調設備、即ち大規模空調設備には、一定温度に保持した水等の熱媒体を配管内に流通させることによって、駅空間Ｓの温度調節を行なうものが用いられている。
【００２３】
還気装置３０は、駅空間Ｓと空調装置本体２１とを連通する還気管３２に、この還気管３２の中途位置にファン等より構成された還気装置本体３１が設けられ、駅空間Ｓからの還気ＲＡを空調装置本体２１と間で循環可能とするものである。
【００２４】
風量調整装置４０は、換気装置１０における外気供給管１２の中途位置に設けられた第一ダンパ４１と、空調装置２０における空調用外気供給管２２の中途位置に設けられた第二ダンパ４２と、還気装置３０における還気管３２の中途位置であって、還気装置本体３１と駅空間Ｓとの間に設けられた第三ダンパ４３とを有している。
【００２５】
図２に示すように第一ダンパ４１、第二ダンパ４２、第三ダンパ４３は、外気供給管１２、空調用外気供給管２２、還気管３２各々の配管に取り付けられた風量調整ダンパである。そしてこれらの風量調整ダンパは各々がモータ４０ａを有しており、このモータ４０ａの駆動によって、モータ４０ａに接続された羽根部４０ｂを、各々の配管の径方向の一方向側から他方向側に向かって作動させ、配管の開度を調整可能とするモータ４０ａ式の風量調整ダンパとなっている。
【００２６】
制御装置５０は、第一ダンパ４１、第二ダンパ４２、第三ダンパ４３各々におけるモータ４０ａにおける不図示のコントローラに電気的に接続され、このコントローラに対してデータの出力を行なうものである。
【００２７】
さらに、制御装置５０は、温湿度計６０で得た外気ＯＡの温湿度の値を入力データとして取得するデータ取得部５１と、入力データの処理を行ない、出力データを作成するデータ処理部５２と、出力データを出力して風量調整装置４０のモータ４０ａを制御するデータ出力部５３とを有している。
【００２８】
データ取得部５１は、換気装置１０及び空調装置２０によって地上から取り込まれる外気ＯＡの温湿度の値を所定時間毎（例えば一分毎）に取得する。
ここで、温度とは乾球温度（℃）、湿度は絶対湿度（ｇ／ｇｄｒｙａｉｒ）を示す。
【００２９】
データ処理部５２は、データ取得部５１での入力データを図３に示す空気線図上にプロットし、このプロット位置に応じて異なる出力データを作成する。具体的には、空気線図上で所定の温湿度となる点を基準点Ｐとして、この基準点Ｐよりも高温高湿となる領域を第一領域Ａ１とし、低温高湿となる領域を第二領域Ａ２とし、高温低湿となる領域を第三領域Ａ３とし、低温低湿となる領域を第四領域Ａ４として予め設定され、入力データがこれらのいずれの領域に位置するかによって出力データを変更する。
【００３０】
なお、この基準点Ｐは様々な点に設定可能であるが、駅空間Ｓでの乗客が快適に感じる温湿度として、例えば、温度：２８℃、相対湿度：６０％に設定される。
この基準点Ｐの値は電力事情等の社会情勢によっても異なるものであり、２８℃、６０％という値は一例である。
【００３１】
データ出力部５３は、空気線図上の第一領域Ａ１、第二領域Ａ２、第三領域Ａ３、第四領域Ａ４によって異なる出力データをモータ４０ａへ出力することで、モータ４０ａの駆動を制御し、即ち、第一ダンパ４１、第二ダンパ４２、第三ダンパ４３の羽根部４０ｂを作動させ、外気供給管１２、空調用外気供給管２２、還気管３２の開度を調整する。
【００３２】
次に、図４に沿って、データ処理部５２における処理の手順について説明する。
まず、外気ＯＡの温湿度を温湿度計６０によって計測してデータ取得部５１で取得された入力データを空気線図上にプロットする。
【００３３】
次に、プロット位置が空気線図上の第一領域Ａ１に位置する場合にはＹＥＳ判定を行い、第一ダンパ４１及び第二ダンパ４２における羽根部４０ｂを、外気供給管１２、空調用外気供給管２２の開度を低減する方向に作動するよう、モータ４０ａの駆動が可能となる出力データを作成する。
【００３４】
さらに、第三ダンパ４３における羽根部４０ｂについては、還気管３２の開度を増大する方向に作動するよう、モータ４０ａの駆動が可能となる出力データを作成する。
【００３５】
また、プロット位置が空気線図上の第二領域Ａ２に位置する場合においてもＹＥＳ判定を行い、外気供給管１２、空調用外気供給管２２の開度を低減するとともに、還気管３２の開度を増大する出力データを作成する。ここで、第一領域Ａ１と第二領域Ａ２とでは、全く同じ処理を行なうわけではなく、第一領域Ａ１の場合の方が外気供給管１２、空調用外気供給管２２の開度をより低減し、還気管３２の開度をより増大するような出力データが作成される。
【００３６】
一方で、プロット位置が空気線図上の第三領域Ａ３に位置する場合にはＮＯ判定を行い、第一ダンパ４１及び第二ダンパ４２における羽根部４０ｂを、外気供給管１２、空調用外気供給管２２の開度を増大する方向に作動するよう、モータ４０ａの駆動が可能となる出力データを作成する。
【００３７】
さらに、第三ダンパ４３における羽根部４０ｂについては、還気管３２の開度を低減する方向に作動するよう、モータ４０ａの駆動が可能となる出力データを作成する。
【００３８】
また、プロット位置が空気線図上の第四領域Ａ４に位置する場合においてもＮＯ判定を行い、外気供給管１２、空調用外気供給管２２の開度を増大するとともに、還気管３２の開度を低減する出力データを作成する。ここで、第三領域Ａ３と第四領域Ａ４とでは、全く同じ処理を行なうわけではなく、第四領域Ａ４の場合の方が外気供給管１２、空調用外気供給管２２の開度をより増大し、還気管３２の開度をより低減するような出力データが作成される。
【００３９】
このようにして、空気線図上の基準点Ｐにおける温湿度の値を目標値として、出力データが作成されることとなる。
【００４０】
このような空調システム１においては、制御装置５０におけるデータ処理部５２が、空気線図を用いて外気ＯＡの温湿度の判定を行なうことで出力データを作成し、これにより風量調整装置４０に対して第一領域Ａ１から第四領域Ａ４の各々に異なった制御を行うことができる。
【００４１】
即ち、外気ＯＡが空気線図上で第一領域Ａ１及び第二領域Ａ２に位置する場合には、外気供給管１２及び空調用外気供給管２２から取り込まれる外気ＯＡの風量を低減できるとともに、還気管３２を流通する還気ＲＡの風量を増大させることができる。
【００４２】
これによって、空調装置２０と駅空間Ｓとの間での還気ＲＡの循環量を増大させることが可能となり、即ち、空調された駅空間Ｓ内の空気をさらに空調して再度、駅空間Ｓに供給することができる。
【００４３】
また逆に、外気ＯＡが空気線図上で第三領域Ａ３及び第四領域Ａ４に位置する場合には、外気供給管１２及び空調用外気供給管２２から取り込まれる外気ＯＡの風量を増大できるとともに、還気管３２を流通する還気ＲＡの風量を低減させることができる。これによって、外気ＯＡによる空調効果を積極的に利用できる。
【００４４】
本実施形態の空調システム１によれば、外気ＯＡの風量、還気ＲＡの風量を調整することで空調装置２０の負荷を増大させなくとも、駅空間Ｓ内が基準点Ｐにおける温湿度に近づくように空調を行なうことができる。従って、運転コストを抑え、駅空間に快適な空間を生み出すことが可能となる。
さらに、外気ＯＡの状態が空気線図上で第一領域Ａ１から第四領域Ａ４の四つの領域区分のうちでいずれに位置するかによって、外気ＯＡの風量、還気ＲＡの風量を調整可能でるため、細やかに地下駅の駅空間Ｓの空調を行なうことが可能となり、さらなる快適空間を生み出すことができる。
【００４５】
以上、本発明の実施形態について詳細を説明したが、本発明の技術的思想を逸脱しない範囲内において、多少の設計変更も可能である。
例えば、風量調整装置４０はモータ４０ａ式の風量調整ダンパである第一ダンパ４１、第二ダンパ４２、第三ダンパ４３としていたが、これらに代えてインバータ等を用いて換気装置本体１１、空調装置本体２１、還気装置本体３１の動作を制御し、外気供給管１２、空調用外気供給管２２を流通する外気ＯＡの風量、還気管３２を流通する還気ＲＡの風量を調整してもよい。
【００４６】
また上述の実施形態では、空気線図上で基準点Ｐを境界として四つの領域に区分して外気ＯＡ状態を判断していた。しかしこの領域は四つ以上でも四つ以下でもよい。即ち、例えば四つの領域の各々をさらに細分化してもよく、上述の実施形態の場合に限定されるものではない。
【００４７】
さらに、上述の実施形態では、第一領域Ａ１と第二領域Ａ２とに対しては外気ＯＡの風量を低減し、還気ＲＡの風量を増大させており、また第三領域Ａ３と第四領域Ａ４とに対しては外気ＯＡの風量を増大し、還気ＲＡの風量を低減させている。即ち、第一領域Ａ１及び第二領域Ａ２に対して制御装置５０が同様の制御を行い、また第三領域Ａ３及び第四領域Ａ４に対して制御装置５０が同様の制御を行っている。しかし例えば、第二領域Ａ２の制御を第三領域Ａ３及び第四領域Ａ４の制御と同様に行なってもよい。このような場合としては、例えば空調装置２０が除湿機能を有している場合等が考えられ、第二領域Ａ２に位置する外気ＯＡは基準点Ｐよりも低温高湿となるが、空調装置２０の除湿機能によって低温高湿の外気ＯＡから低温低湿の外気ＯＡを生成でき、外気ＯＡの風量を低減させなくとも外気ＯＡによる空調効果を期待できるためである。
【００４８】
なお、除湿機能については様々な方式を用いたものが知られているが、例えば、圧縮機を用い空気を圧縮する圧縮式や、吸着剤を用いた吸着式等が例示される。
【符号の説明】
【００４９】
１…空調システム  １０…換気装置（換気手段）  １１…換気装置本体  １２…外気供給管  １３…排出管  ２０…空調装置（空調手段）  ２１…空調装置本体  ２２…空調用外気供給管  ２３…給気管  ３０…還気装置（還気手段）  ３１…還気装置本体  ３２…還気管  ４０…風量調整装置（風量調整手段）  ４０ａ…モータ  ４０ｂ…羽根部  ４１…第一ダンパ  ４２…第二ダンパ  ４３…第三ダンパ  ５０…制御装置（制御手段）  ５１…データ取得部  ５２…データ処理部  ５３…データ出力部  ６０…温湿度計  Ａ１…第一領域  Ａ２…第二領域  Ａ３…第三領域  Ａ４…第四領域  Ｐ…基準点  Ｓ…駅空間（地下駅内の空間）  ＯＡ…外気  ＥＡ…排気  ＳＡ…給気  ＲＡ…還気
【図１】
2013210112.tif 000003
【図２】
2013210112.tif 000004
【図３】
2013210112.tif 000005
【図４】
2013210112.tif 000006